(57)【要約】      （修正有）【課題】横フレームを開いた状態の維持を容易にする眼鏡用フレーム、それを備える眼鏡、および眼鏡型拡大鏡を提供する。【解決手段】眼鏡用フレーム１は、レンズを保持する前フレーム１０と前フレーム１０の左右両端にヒンジ部３０を介して回動可能に接続される横フレーム２０とを備える。ヒンジ部３０は、横フレーム２０を閉じた状態から所定角度回動させた位置における回動に対する抵抗力が、所定角度とは異なる角度回動させるときの回動に対する抵抗力よりも高く設定される抵抗部を含む。【選択図】図１
2020046459.tif 000002
【特許請求の範囲】
【請求項１】
レンズを保持する前フレームと前記前フレームの左右両端にヒンジ部を介して回動可能に接続される横フレームとを備える眼鏡用フレームであって、
前記ヒンジ部は、前記横フレームを閉じた状態から所定角度回動させた位置における回動に対する抵抗力が、前記所定角度とは異なる角度回動させるときの回動に対する抵抗力よりも高く設定される抵抗部を含む、
眼鏡用フレーム。
【請求項２】
前記抵抗部は、前記ヒンジ部において前記前フレームと前記横フレームのそれぞれに設けられる一対の突起を含み、前記一対の突起は、前記横フレームを閉じた状態から前記所定角度回動させると前記一対の突起の一方が前記一対の突起の他方を乗り越える位置にそれぞれ設けられる、
請求項１に記載の眼鏡用フレーム。
【請求項３】
前記一対の突起の少なくとも一方は、その先端に工作精度に応じて決定される高さを有する微小突起をさらに含む、
請求項２に記載の眼鏡用フレーム。
【請求項４】
請求項１から３のいずれか一項に記載の眼鏡用フレームと、
前記前フレームに保持された前記レンズと、を備える、
眼鏡。
【請求項５】
請求項１から３のいずれか一項に記載の眼鏡用フレームと、
前記前フレームに保持された前記レンズと、を備え、
前記レンズは拡大鏡である、
眼鏡型拡大鏡。
【発明の詳細な説明】
【技術分野】
【０００１】
本発明は、眼鏡用フレーム、眼鏡及び眼鏡型拡大鏡に関する。
【背景技術】
【０００２】
眼鏡および眼鏡型拡大鏡（以下、眼鏡等とも称する）は、使用者の左右の眼の前に配置するためのレンズを保持する前フレームと、前フレームの左右両端から延びる横フレームとを有する。横フレームは、例えば、ヒンジ等の関節部によって回動可能に前フレームと接続される（例えば、特許文献１参照）。
【先行技術文献】
【特許文献】
【０００３】
【特許文献１】特表２０１７−５３３４７０号公報
【発明の概要】
【発明が解決しようとする課題】
【０００４】
横フレームが回動可能に前フレームと接続されることで、眼鏡等の使用時には横フレームを開くことで眼鏡等を使用者が着用可能となる。また、眼鏡等の非使用時には横フレームをたたむことでコンパクトに眼鏡等を収納できる。
【０００５】
眼鏡等を装着しやすいように、横フレームを開いた状態で眼鏡等を机上に置くことがある。しかしながら、横フレームが回動可能に前フレームと接続されているために、机上に眼鏡等を置くときに使用者の意志に反して横フレームが閉じてしまうことがある。
【０００６】
そこで、開示の技術の１つの側面は、横フレームを開いた状態で容易に維持できる眼鏡用フレームを提供することを目的とする。
【課題を解決するための手段】
【０００７】
開示の技術の１つの側面は、次のような眼鏡用フレームによって例示される。本眼鏡用フレームは、レンズを保持する前フレームと前記前フレームの左右両端にヒンジ部を介して回動可能に接続される横フレームとを備える眼鏡用フレームである。前記ヒンジ部は、前記横フレームを閉じた状態から所定角度回動させた位置における回動に対する抵抗力が、前記所定角度とは異なる角度回動させるときの回動に対する抵抗力よりも高く設定される抵抗部を含む。
【０００８】
本眼鏡用フレームでは、前フレームと横フレームとを回動可能に接続するヒンジ部において、横フレームの回動に係る抵抗力が閉じた状態から所定角度回動させた位置では他の角度回動させた位置よりも高く設定された抵抗部が設けられる。そのため、横フレームを所定角度より大きく開くと、抵抗部の抵抗により横フレームが閉じる方向に回動することが抑制される。そのため、本眼鏡用フレームによれば、横フレームを開いた状態を容易に維持できる。
【０００９】
開示の技術は、次の特徴を備えてもよい。前記抵抗部は、前記ヒンジ部において前記前フレームと前記横フレームのそれぞれに設けられる一対の突起を含み、前記一対の突起は、前記横フレームを閉じた状態から前記所定角度回動させると前記一対の突起の一方が前記一対の突起の他方を乗り越える位置にそれぞれ設けられる。このような特徴を備えることで、横フレームが所定角度開かれると、前フレームおよび横フレームの一方に設けられた突起が前フレームおよび横フレームの他方に設けられた突起を乗り越える。横フレーム
に設けられた突起と前フレームに設けられた突起とが干渉することにより、横フレームが閉じる方向に回動することが抑制される。
【００１０】
開示の技術は、次の特徴を備えてもよい。前記突起は、その先端に工作精度に応じて決定される高さを有する微小突起をさらに含む。このような特徴を有することで、ヒンジ部における前フレームと左右の横フレームそれぞれとの間の隙間に工作精度に起因する差が生じていても、微小突起がその隙間を埋めることができる。そのため、左右の横フレームそれぞれにおいて、横フレームを回動させるときの滑らかさに差が出ることが抑制される。
【００１１】
開示の技術は、上記した眼鏡用フレームを備えた眼鏡および眼鏡型拡大鏡であってもよい。
【発明の効果】
【００１２】
本開示の技術は、眼鏡用フレームの横フレームを開いた状態を容易に維持できる。
【図面の簡単な説明】
【００１３】
【図１】図１は、実施形態に係る眼鏡型拡大鏡の一例を示す図である。
【図２】図２は、前フレームにおいて、図１の領域Ａに含まれる部分の部分拡大図の一例である。
【図３】図３は、横フレームにおいて、図１の領域Ａに含まれる部分の部分拡大図の一例である。
【図４】図４は、横フレームを開くときにおける、ヒンジ部の様子を例示する第１の図である。
【図５】図５は、横フレームを開くときにおける、ヒンジ部の様子を例示する第２の図である。
【図６】図６は、使用者の意図に反して横フレームが閉じた状態の一例を示す図である。
【図７】図７は、使用者にクリック感を与える横フレームの角度を例示する第１の図である。
【図８】図８は、使用者にクリック感を与える横フレームの角度を例示する第２の図である。
【図９】図９は、第１変形例に係る横フレームにおいて、図１の領域Ａに含まれる部分の部分拡大図の一例である。
【発明を実施するための形態】
【００１４】
以下、図面を参照して、実施形態について説明する。以下に示す実施形態の構成は例示であり、開示の技術は実施形態の構成に限定されない。
【００１５】
＜実施形態＞
図１は、実施形態に係る眼鏡型拡大鏡の一例を示す図である。図１に例示される眼鏡型拡大鏡１００は、フレーム１、拡大鏡４０、鼻パッド５０を備える。フレーム１は、前フレーム１０および前フレーム１０に回動可能に接続される横フレーム２０、２０を備える。図１は、眼鏡型拡大鏡１００を上面視した図の一例であり、フレーム１の横フレーム２０、２０を開いた状態が例示される。なお、本明細書において、眼鏡型拡大鏡１００を装着した使用者の頭側を上、足側を下、右眼側を右、左眼側を左とし、拡大鏡４０側を前、横フレーム２０側を後ろとする。また、フレーム１において、上下方向を高さ方向とも称し、上下方向と直交するとともにフレーム１の側面と直交する方向を厚さ方向とも称する。フレーム１の側面のうち、使用者側の側面を内側面、内側面とは反対側の側面を外側面、上側の側面を上側面、下側の側面を下側面と称する。フレーム１は、「眼鏡用フレーム
」の一例である。
【００１６】
拡大鏡４０は、物体の像を拡大するレンズである。フレーム１は、拡大鏡４０を保持するとともに、眼鏡型拡大鏡１００を使用者に装着可能とする部材である。フレーム１は、弾性を有する弾性部材で形成されており、例えば、ポリアミド、ポリカーボネート等の弾性を有する樹脂で形成される。フレーム１は、強度や弾性を考慮すると、ポリアミドで形成されることがより好ましい。フレーム１は、前フレーム１０と横フレーム２０、２０とを含む。
【００１７】
前フレーム１０は、拡大鏡４０を保持する部材である。横フレーム２０、２０は、使用者の耳にかかることで、眼鏡型拡大鏡１００を保持する部材である。横フレーム２０、２０は、前フレーム１０の左右両端部においてヒンジ部３０、３０によって回動可能に前フレーム１０に接続される。前フレーム１０は、使用者が横フレーム２０、２０を左右の耳にかけるように眼鏡型拡大鏡１００を装着したときに、使用者の左右の眼の前に拡大鏡４０が位置するように拡大鏡４０を保持する。使用者は、拡大鏡４０を介して物体を見ることで、当該物体を拡大して見ることができる。
【００１８】
図２は、実施形態に係る眼鏡型拡大鏡の前フレームにおいて、図１の領域Ａに属する部分の部分拡大図の一例である。すなわち、図２では、ヒンジ部３０のうち、前フレーム１０に属する部分の拡大図が例示される。なお、図２では、ヒンジ部３０のうち前フレーム１０に属する部分の内部構造を説明するため、上側面の図示は省略されている。
【００１９】
ヒンジ部３０のうち、前フレーム１０に属する部分には、横フレーム２０を受け入れる受け入れ部１１が形成される。受け入れ部１１は、前フレーム１０の両端部において、内側面から外側面に向けて厚さ方向に形成される凹部である。受け入れ部１１における上側面および下側面には、横フレーム２０の回転軸となる軸を受け入れる軸受１２が設けられる。また、受け入れ部１１における横フレーム２０に対向し、上側面および下側面と直交する対向面１３には、平坦部１４、凸部１５、凹部１６が前フレーム１０の端部側からこの順に設けられる。平坦部１４の端部側は突端部１７となる。
【００２０】
図３は、実施形態に係る眼鏡型拡大鏡の横フレームにおいて、図１の領域Ａに属する部分の部分拡大図の一例である。すなわち、図３では、ヒンジ部３０のうち、横フレーム２０に属する部分の拡大図が例示される。
【００２１】
ヒンジ部３０のうち、横フレーム２０に属する部分は、横フレーム２０の他の部分よりも高さおよび厚さが小さく形成される先細部２１が設けられる。先細部２１は、横フレーム２０の外側面から内側面に向かって削り込むように形成され、横フレーム２０における先細部２１以外の部分と先細部２１との間には外側面において段差が生じる。当該段差は横フレーム２０の上側面および下側面と垂直な平面である段差壁面２５を形成する。先細部２１には、横フレーム２０の回転軸が挿入される上下方向の穴である軸穴２２が設けられる。また、先細部２１の先端は、横フレーム２０の上側面および下側面と垂直な曲面である曲面部２３が設けられる。曲面部２３の一部には、横フレーム２０が前フレーム１０の受け入れ部１１に受け入れられた際に、受け入れ部１１の対向面１３に向けて突出する突起２４が設けられる。
【００２２】
図４および図５は、横フレームを開くときにおける、ヒンジ部の様子を例示する図である。図４および図５は、実施形態に係る眼鏡型拡大鏡１００のフレーム１において、図１の領域Ａに属する部分の部分拡大図の一例である。なお、図４および図５では、ヒンジ部３０の内部構造を説明するため、フレーム１の上側面の図示は省略されている。横フレーム２０を閉じた状態からある程度開くと（回動させると）と、横フレーム２０の突起２４
は前フレーム１０の凸部１５に当接する。
【００２３】
図４は、横フレーム２０を閉じた状態から開いたときに横フレーム２０の突起２４が前フレーム１０の凸部１５に当接した状態の一例を示す図である。横フレーム２０の突起２４および前フレーム１０の凸部１５の高さは、図４に例示されるように、横フレーム２０を開く使用者に突起２４と凸部１５が当接することで適度な抵抗感（以下、クリック感とも称する）を与えるとともに、突起２４がフレーム１の弾性力によって凸部１５を超えて凹部１６にまで到達できる高さに調整される。突起２４が凸部１５を乗り越えて凹部１６に収容されると、図５に例示される状態となる。
【００２４】
図５は、開かれた横フレーム２０の突起２４が前フレーム１０の凹部１６に収容された状態の一例を示す図である。横フレーム２０の突起２４の高さおよび前フレームの凹部１６の深さは、図５に例示されるように、横フレーム２０を開いたときに横フレーム２０の突起２４が前フレーム１０の凹部１６に収容可能なように調整される。突起２４が凹部１６に収容されると、図５に例示されるように、横フレーム２０の段差壁面２５と前フレーム１０の突端部１７とが当接し、横フレーム２０がそれ以上開くことが抑制される。
【００２５】
横フレーム２０の段差壁面２５と前フレーム１０の突端部１７とが当接すると、横フレーム２０は、眼鏡型拡大鏡１００を好適に使用できる程度に開いた状態となる。前フレーム１０の凹部１６に横フレーム２０の突起２４が収容されると、突起２４と前フレーム１０の凸部１５とが干渉することで、横フレーム２０が閉じる方向に抵抗力が生じる。そのため、使用者の意図に反して、横フレーム２０が閉じる方向に回動することが抑制される。そのため、図６に例示するような横フレーム２０が閉じた状態となることを回避することができる。突起２４および凸部１５は、「抵抗部」の一例である。また、突起２４および凸部１５は、「一対の突起」の一例である。
【００２６】
ところで、回動する横フレーム２０が、横フレーム２０の突起２４と前フレーム１０の凸部１５が当接することで使用者にクリック感を与える位置（横フレーム２０の開き具合）は、適宜定めればよい。使用者にクリック感を与える位置は、突起２４と凸部１５の相対的な位置関係によって決定できる。図７および図８では、横フレーム２０を閉じた状態（図７および図８において、点線Ｂによって例示）から６０度ほど開く（回動させる）と突起２４と凸部１５とが当接するような位置に、突起２４と凸部１５との相対的な位置が決定されている。６０度はあくまで例示であるが、クリック感を与える位置を６０度程度に設定することで、使用者に対し横フレーム２０が間もなく完全に開くことをクリック感によって認識させることができる。また、６０度は、「所定角度」の一例である。
【００２７】
＜実施形態の作用効果＞
実施形態では、横フレーム２０を開くと、横フレーム２０の突起２４が前フレーム１０の凸部１５を乗り越えて、前フレーム１０の凹部１６に収容される。突起２４が凹部１６に収容されると、突起２４と凸部１５とが干渉することにより、横フレーム２０が閉じる方向に回動することが抑制される。そのため、実施形態によれば、横フレーム２０が使用者の意図に反して閉じることが抑制される。
【００２８】
実施形態では、間もなく完全に開く位置（例えば６０度）まで横フレーム２０が開かれると、横フレーム２０の突起２４と前フレーム１０の凸部１５とが当接され、突起２４が凸部１５を乗り越える際に使用者にクリック感が伝えられる。そのため、実施形態によれば、クリック感によって、横フレーム２０が間もなく完全に開くことを使用者に伝えることができる。
【００２９】
＜第１変形例＞
図９は、第１変形例に係る横フレームにおいて、図１の領域Ａに含まれる部分の部分拡大図の一例である。第１変形例では、横フレーム２０の突起２４から突出する微小突起２４ａが設けられる。微小突起２４ａは、例えば、三角錐および四角錐等に例示される略錐体形状に形成される。横フレーム２０を閉じた状態（図７および図８において、点線Ｂによって例示）から６０度ほど開く（回動させる）と微小突起２４ａの先端２４ａ１（微小突起２４ａを形成する錐体の頂点）と凸部１５とが当接するような位置に、微小突起２４ａと凸部１５との相対的な位置が決定される。微小突起２４ａは、例えばフレーム１と同様に、ポリアミド、ポリカーボネート等の弾性を有する樹脂で形成されてもよい。
【００３０】
フレーム１の前フレーム１０および横フレーム２０は、例えば、金型を用いた射出成型によって製造される。フレーム１を大量生産する場合、前フレーム１０用の金型、右側の横フレーム２０用の金型および左側の横フレーム２０用の金型をそれぞれ複数用意することになる。そのため、製造に用いる金型毎に、前フレーム１０および横フレーム２０の寸法にバラつきが生じることがある。また、フレーム１を着色するには、樹脂等のフレーム１の材料に顔料が添加される。添加される顔料の成分の違いにより、金型内におけるフレーム１の材料の流動性に差が生じ、フレーム１の成形条件や成形後の収縮率に差が生じることがある。これら例示したような工作精度等の影響により、左側のヒンジ部３０における横フレーム２０と前フレーム１０との間隔と、右側のヒンジ部３０における横フレーム２０と前フレーム１０との間隔に差が出ることが考えられる。微小突起２４ａが設けられることで、横フレーム２０と前フレーム１０との間隔に応じて微小突起２４ａが潰れる。例えば、ヒンジ部３０における横フレーム２０と前フレーム１０との間隔が狭い場合には微小突起２４ａがより多く潰れ、ヒンジ部３０における横フレーム２０と前フレーム１０との間隔が広い場合には微小突起２４ａがより少なく潰れる。微小突起２４ａのこのような作用により、横フレーム２０と前フレーム１０との間隔が調整される。そのため、このような微小突起２４ａを設けることで、左右の横フレーム２０それぞれにおいて、横フレーム２０を回動させるときの滑らかさに差が出ることが抑制される。
【００３１】
また、横フレーム２０が繰り返し開閉されると、微小突起２４ａの先端２４ａ１と凸部１５との間の摩擦により、ポリアミド等の樹脂で形成された微小突起２４ａの先端２４ａ１が丸く成形される。そのため、横フレーム２０の開閉がより滑らかになるとともに、微小突起２４ａが凸部１５を乗り越える際のクリック感がより好適なものとなる。なお、微小突起２４ａの大きさ（微小突起２４ａが突起２４から突出する高さ）は、工作精度に応じて適宜定めればよい。第１変形例では、微小突起２４ａは横フレーム２０の突起２４に設けられたが、微小突起２４ａは前フレーム１０の凸部１５に設けられてもよい。また、微小突起２４ａは、突起２４および凸部１５の両方に設けられてもよい。
【００３２】
前フレーム１０の凹部１６は省略してもよい。凹部１６が省略されても、横フレーム２０を開いた状態では、横フレーム２０の突起２４と前フレーム１０の凸部１５とが干渉するため、横フレーム２０を開いた状態で容易に維持できる。しかしながら、凹部１６が設けられることで、横フレーム２０を開くと突起２４が凹部１６に収容されるため、横フレーム２０の開いた状態がより安定して維持される。
【００３３】
実施形態では、拡大鏡４０を備える眼鏡型拡大鏡１００について説明したが、拡大鏡４０の代わりに近視や遠視を矯正する眼鏡用のレンズを備える眼鏡であってもよい。また、拡大鏡４０の代わりに偏光レンズ、ブルーライトを低減するレンズ等が採用されてもよい。
【００３４】
以上説明した実施形態や変形例は、それぞれ組み合わせることができる。
【符号の説明】
【００３５】
１００・・・眼鏡型拡大鏡
１・・・フレーム
１０・・・前フレーム
１１・・・受け入れ部
１２・・・軸受
１３・・・対向面
１４・・・平坦部
１５・・・凸部
１６・・・凹部
１７・・・突端部
２０・・・横フレーム
２１・・・先細部
２２・・・軸穴
２３・・・曲面部
２４・・・突起
２４ａ・・・微小突起
２４ａ１・・・先端
２５・・・段差壁面
３０・・・ヒンジ部
４０・・・拡大鏡
５０・・・鼻パッド
【図１】
2020046459.tif 000003
【図２】
2020046459.tif 000004
【図３】
2020046459.tif 000005
【図４】
2020046459.tif 000006
【図５】
2020046459.tif 000007
【図６】
2020046459.tif 000008
【図７】
2020046459.tif 000009
【図８】
2020046459.tif 000010
【図９】
2020046459.tif 000011